(57)【特許請求の範囲】
【請求項１】
水洗トイレ便器と手洗い装置から成る腰かけ式水洗トイレシステムであって、該水洗トイレ便器は、転動体を使った回転機構で身体の方向を変えることが可能な回転便座を備えており、回転便座が排便を行う基準位置Ｓから洗浄位置Ｆまで回転する角度がθ度で、便座は基準位置Ｓと洗浄位置Ｆの間を回転し、基準位置Ｓと洗浄位置Ｆの位置には便座の回転ブレを防止するストッパーを設けて、回転を停止し、基準位置Ｓから便座をθ度回転すると、洗浄位置Ｆで身体が手洗い装置に正対し、該手洗い装置は、手を手洗い装置フードに差し込むと赤外線センサーが感知して、消毒石鹸液、流水洗浄、水切り乾燥温風、紫外線照射殺菌の処理条件がプログラムされている洗浄シーケンサーが始動し、流水垂下ノズル位置の近くに消毒石鹸液注出ノズル、水切り乾燥温風吹き出しノズルが配置されており、手洗いの様子が確認できる透明樹脂で作成されている手洗い装置フードを備えており、手洗い装置フードから手を抜き出すと洗浄シーケンスが終了する特徴を備えた非接触自動手洗い装置であって、手洗い装置の排水管から分岐した排気管で強制排気を行って手洗い装置フード内に気流を形成し、手洗い中の飛散液が手洗い装置フード内の気流に乗って排水管に流れ込むようになっており、また、強制排気はトイレ室全体の換気を兼ねた排気量となっている、座位および立位で使用できる非接触自動手洗い装置であることを特徴とする腰かけ式水洗トイレシステム。
【請求項２】
回転便座が基準位置Ｓから洗浄位置Ｆまで回転する角度θ度が３０度≦θ≦７０度であり、しかも、洗浄位置Ｆでの便座の方向であって、便座の回転中心Ｄからの距離Ｌが３０ｃｍ≦Ｌ≦９０ｃｍの位置に流水垂下位置がある手洗い装置が配置されていることを特徴とする請求項１記載の腰かけ式水洗トイレシステム。
【請求項３】
トイレ機能に必要な、トイレ室ドアー、照明装置、壁と天井、床、トイレットペーパー供給装置、温水シャワーノズルと制御装置、水洗フラッシュノブまたはフラッシュ洗浄電光スイッチシステムなどの設備、及び請求項２記載の腰かけ式水洗トイレシステムがあらかじめ造り付けされた一体型の水洗トイレ室ユニット。
【発明の詳細な説明】
【技術分野】
【０００１】
本発明は、腰かけ式水洗トイレシステムに関するものである。
【背景技術】
【０００２】
従来の腰かけ式水洗トイレは、糞便を排出する水洗フラッシュ洗浄を行う便器と、人体の局部に温水シャワーを浴びせて衛生洗浄する装置とその電気スイッチなどから成っている。そして、トイレ室内またはトイレ室外に手洗いのために必要な水道蛇口や温風乾燥機などが備わっている。
【０００３】
このような従来型の腰かけ式水洗トイレを使う時のトイレ使用人が、トイレ室に入室して室外に出るまで、次に示す第１段から第１２段の動作を行っているのが通常である。
第１段  トイレ使用人は、排便または排尿をするためにトイレ室の照明スイッチをＯＮして、ドアノブを回しドアーを開けて入室する。ドアーロックを行う。
第２段  便器蓋を開ける。
第３段  水洗トイレ便器の前で後ろ向きになる。そして排便または排尿に必要な人体の局部を露出するため、一部の衣服を降ろす。
第４段  水洗トイレの便座に後ろ向きの状態で腰かける。
第５段  排便または排尿を行う。
第６段  排便または排尿した人体の局部（肛門、排尿器官およびその周囲）には排泄物の一部が付着しているため、トイレットペーパーをロール紙供給装置から切り取り、肛門あるいは排尿器官などを人の手指を使ってトイレットペーパーで拭き取る。
第７段  温水シャワーを備えた水洗トイレにおいては、排便または排尿後に肛門部や排尿器官付近を温水シャワーにて衛生洗浄した後に、手指を使ってトイレットペーパーで拭き取っている場合もある。
第８段  次に、立ち上がり、衣服を整える。
第９段  あるいは第８段の動作の前に、便器中の糞尿などを下水管に排出するために水洗フラッシュノブを操作して流す。
第１０段  便器蓋を閉める。
第１１段  トイレ室内の手洗い位置まで移動して、水道栓を操作して手洗いし、ハンカチなどで拭って乾燥している。ドアーロックを解除し、ドアーを開ける。トイレ照明をＯＦＦにする。
第１２段  トイレ室内に手洗い設備が無い場合は、トイレ室からドアーを開けて外の手洗い設備にて手洗いを行う。
以上が従来トイレ装置で行われている一連のトイレ動作である。
【０００４】
しかし、第５段または第６段の排便または排尿した後に、手指にてトイレットペーパーを使って肛門あるいは排尿器官などを拭き取る動作を行うと、手指に排泄物の一部や感染性有害細菌（ノロウイルス、ロタウイルス、サルモネラ菌、大腸菌など）などが付着している可能性がある。また第７段において、温水シャワーにて衛生洗浄したとしても水分を含んだトイレ紙が破けるとか、トイレ紙を貫通して手指を微量の排泄物あるいは感染性有害細菌などで汚染していることを否定できないという欠点がある。
【０００５】
さらに第６段から第１１段において手指を洗浄するまでは、汚染された手指で触れる衣服、水洗フラッシュノブ、各種トイレ機能電気スイッチ、手洗い水道栓、便器蓋、トイレ室ドアノブ、ドアーロックなどに微量の排泄物あるいは感染性有害細菌などが汚染する衛生上の問題がある。
その結果、感染性有害細菌で汚染した衣服、トイレ器具類を介して他の使用者へ感染性有害細菌が伝染し、家庭、病院、学校、老人ホーム、食品会社、給食センターでの施設内感染や集団食中毒などを引き起こす原因にもなっている。
【０００６】
この改善策として、排便または排尿を行った後に、人手でロール紙を使って局部を拭き取ることなく、温水シャワーで洗浄し、その後、局部を温風にて乾燥させる装置が開発されている。しかし、温水を局部に吹きかけて完全に洗浄するためには３分以上、また、温水洗浄した局部を温風で完全に乾燥するには５分以上もの長時間を必要としており、用便後に長時間を必要としている。また完全に清潔になっているかの確信が持てないなどの理由であまり広くトイレ装置として市販されていないのが現状である。結局は前記したような一連のトイレ動作でトイレットペーパーを用いて手指を使って拭き取り処置をしているのが通常となっている。
【先行技術文献】
【特許文献】
【０００７】
【特許文献１】実開平０３−００９６９５号公報
【特許文献２】実開平０７−０４４４２２号公報
【特許文献３】特開平０５―１２５７５７号公報
【特許文献４】特開平０９−２０１３８５号公報
【特許文献５】実用新案登録第３１１５７１９号公報
【特許文献６】米抄００８３１６４７２号
【特許文献７】米抄２００４/０２３１０３５号
【特許文献８】特開平１０−２３７９２７号公報
【特許文献９】特開２００２−７８６２６号公報
【非特許文献】
【０００８】
【非特許文献１】国立感染研究所感染症情報センター２０１２年４月１０日  掲載「従事者衣服からノロウイルスを検出した集団食中毒事例についてー長野県」http://www.nih.go.jp/niid/ja/norovirus-m/norovirus-iasrs/1837-pr3871.html
【非特許文献２】一般財団法人  食品分析開発センター  庄司  正著「どうして防げないのか、ノロウイルス食中毒。発生事例から考える」http://www.mac.or.jp/mail/140201/02.shtml
【発明の概要】
【発明が解決しようとする課題】
【０００９】
感染性有害細菌（ノロウイルス、ロタウイルス、サルモネラ菌、大腸菌など）の罹患者の糞便、嘔吐物から高濃度の病原菌が発見されることは上記非特許文献から知られている。従来方式の水洗トイレとトイレ室内や室外の手洗い設備を使って感染性有害細菌の罹患者がトイレを使用すると、糞便をトイレットペーパーで拭き取った後に感染菌に汚染された手、指が各種のスイッチ、水洗フラッシュノブ、便座蓋、手洗い水道栓、共通タオル、ドアノブ、ドアーロック、患者の衣服などを経由して２次汚染し、集団食中毒に拡大した事例が厚生労働省や国立感染症研究所などから数多く報告されている。また、同研究機関からノロウイルス、ロタウイルス、サルモネラ菌などを始めとする感染症細菌に汚染された糞便、吐瀉物などの処置の仕方、対処方法、人間の消毒、機器の消毒などが広く官報にて公報されていることは周知のことである。
かかる事実に鑑み、「従来方式の水洗トイレを使用した時のトイレ動作とトイレシステムに感染性有害細菌が蔓延する元凶がある」と考えて本発明を提案する。
【課題を解決するための手段】
【００１０】
水洗トイレ便器の便座をθ度回転して洗浄位置Ｆ方向に身体を向ける回転便座と、なおかつ、回転便座の回転中心Ｄから距離Ｌの位置に非接触自動手洗い装置を配置したトイレシステムを考案した。
【発明の効果】
【００１１】
本発明によって得られる効果は、用便後に手指を汚染した場合にも、その直後に、非接触自動で手指を洗浄できるから、トイレ器具、電気スイッチ、ドアノブ、衣服などを汚染された手指で一切触れることがなくなる。衛生的なトイレ動作が可能となり、その結果、トイレを介した感染性有害細菌の感染拡大を効果的に防止することができる。
【図面の簡単な説明】
【００１２】
【図１】本発明になる水洗トイレシステムが備わったトイレ室の平面概要図
【図２】図１のＡ―Ａ線断面のトイレ便器要部図
【図３−ａ】図１および図２における回転便座の回転機構図
【図３−ｂ１】図２の回転便座の回転機構図
【図３−ｂ２】図２の回転便座の回転機構図
【図３−ｃ１】図２の回転便座の回転機構図
【図３−ｃ２】図２の回転便座の回転機構図
【図３−ｄ１】図２の回転便座の回転機構図
【図３−ｄ２】図２の回転便座の回転機構図
【図４】図１の非接触自動手洗い装置の側面図
【発明を実施するための形態】
【実施例１】
【００１３】
図１は本発明の目的を実現するための腰かけ式水洗トイレ便器２と非接触自動手洗い装置２０が角度θで距離Ｌの位置に設置されている水洗トイレシステムとトイレ室ユニットを示す。
【００１４】
本発明になる腰かけ式水洗便器２と、非接触自動手洗い装置２０を使ったトイレ室内のトイレ動作を、図１〜図４を用いて説明すると以下のようになる。
第１段  トイレ使用人は、排便または排尿をするためトイレ室の照明をＯＮし、トイレ室ドアー１６を開けて入室する。ドアーロックを閉める。
第２段  便器蓋１３を開ける。
第３段  腰かけ式水洗便器２の前で後ろ向きになる。そして排便または排尿に必要な人体の局部を露出するため、下半身の衣服を降ろす。
第４段  水洗トイレの便座に後ろ向きの状態で腰かける。（基準位置Ｓ）
第５段  排便または排尿を行う。
第６段  排便または排尿した人体の局部には排泄物の一部が付着しているため、トイレットペーパー供給装置１８からトイレットペーパーを切り取り、肛門あるいは排尿器官などの局部を、手指を使いトイレットペーパーにて拭き取る。
第７段  また、排便または排尿後に肛門部や排尿器官付近を温水シャワーノズル３５にて洗浄した後に、手指を使ってトイレットペーパーにて拭き取っている場合もある。
第８段  次に、トイレ室床１を足で蹴って便座５を回転させ、手洗い装置２０に正対または手洗い可能な角度θにまで回転便座５に座ったまま身体を回転する。（洗浄位置Ｆ）
第９段  洗浄位置Ｆで手洗い設備２０の手差し込み口３１から手を差し込むと赤外線センサー２２が感知して手洗い装置自動シーケンサー３０が動作開始し、消毒石鹸液注出ノズル２３から消毒石鹸液が手に注がれる。消毒石鹸液にて手洗いを行う。次に一定の時間後に流水注出ノズル２４から流水が自動的に流れ出し流水手洗いを行う。所定時間後に流水は停止し、続いて水切り乾燥温風２５による水切り、温風乾燥が行われる、紫外線照射ランプ２７による紫外線殺菌が乾燥中に連動点灯する。手差し込み口３１から手を引き抜くと全ての洗浄シーケンスは終了する。
第１０段  手指が清浄になったら、再びトイレ室床１を第８段とは反対方向に足で蹴って回転便座５を回転させて基準位置Ｓにまで回転便座５と使用者の身体を向き直らせる。
第１１段  基準位置Ｓにてトイレ使用者は立ち上がって衣服を整え、水洗フラッシュノブを押して汚物を便器から下水管へ流す。
第１２段  便器蓋１３を閉める。
第１３段  トイレ使用者はトイレ室のドアー１６のドアーロックを開け、ドアノブ１７を回して開けて、退出する。照明をＯＦＦする。
以上に示すように、使用者は用便を終了し、直後に、手洗い装置２０に手を差し込むことだけで非接触自動で洗浄処理を行うことができる。
【００１５】
図１に示す本発明の概要図に於いて、水洗トイレ使用者がトイレ動作の第４段から第７段までと第１０段から第１１段までの間、回転便座５に座って身体が向いている方向（基準位置Ｓ）と、そして、第８段から第９段までの間、回転便座５に座って身体が向いている方向（洗浄位置Ｆ）を同一の図面内に示している。
すなわち、本発明になる衛生的なトイレ動作を得る水洗トイレシステムは、回転便座５が回転中心Ｄを中心にθ度回転する便座構造と、便座に座ったまま手を挿入したら洗浄できる非接触自動手洗い装置２０を回転中心Ｄからの距離Lの位置に配置している特徴がある。
【００１６】
ちなみに、回転便座５が基準位置Sから洗浄位置Fまで回転する角度ＳＤＦがθ度であり、回転角θは  １０度≦θ≦９０度  の範囲が望ましい。好適には  ３０度≦θ≦７０度  である。理想的には手洗い装置２０に正対して両手を擦って洗うのが望ましい。
回転角θが小さいと手洗い装置２０が便器の前にあるから、トイレを使用するために便器２の前に立入り難いし、身体を回転し、衣服を降ろす動作もしにくくなる。一方、あまりに手洗い装置を９０度以上の位置に配置すると、足で蹴って大きく身体の向く方向を変えなければならず、容易でない。
【００１７】
また、距離Lは回転便座５の回転中心Dから非接触自動手洗い装置２０の手洗い流水注出水の垂下位置２４までの距離である。トイレ使用者の体格にもよるが  ３０cm≦L≦９０cm  の範囲で、好適には  ４０cm≦L≦５０cm  が望ましい。手洗い装置２０までの距離Ｌが近すぎると回転便座５に座るためには狭すぎるし、距離Ｌが長いと回転便座５に座ったまま上半身を乗り出して手を差し込まなければならず、極めて手洗い動作がやり難くなる。
【００１８】
非接触自動手洗い装置２０は何ら手、指でスイッチに触れることなく消毒石鹸液や手洗い流水の流出/止水、水切り温風乾燥や紫外線照射をON/OFFする。処理時間の条件設定は自動シーケンサー３０にて動作制御管理されている。
【００１９】
かかる手洗い装置自動シーケンサー３０の電子回路、センサー、ノズルなどの技術内容は既存技術の組み合わせで容易に実現できるので本発明の請求範囲には含めない。
【００２０】
図２は図１のＡ―Ａ線断面図であり、腰かけ式水洗便器２と回転便座５の回転機構を概略示した図である。本発明になる便座は、男子小便を行う時、上方に開く機能を有しているベース便座８と、その上面に回転便座５が組み合わされた２層構造となっている。
【００２１】
図３は図２のＢ部を説明する図である。転動体保持器１０の形態の違いによるベース便座８と回転便座５の要部を説明している。
【００２２】
図３−ａは球状転動体９が埋め込まれた転動体保持器１０の平面図である。
図３−ｂ１と図３−ｂ２は図３−ａのＣ−Ｃ線断面を示している。ｂ１型の転動体と転動体保持器を使うと、図３−ｃ１に示したようにベース便座８の上面と回転便座５の下面の両面に転動体レール１１，１２を使う。転がり摩擦抵抗を小さく出来る。
【００２３】
図３−ｂ２の球状転動体の約２/３が転動体保持器に埋め込まれている形態では、図３−ｃ２のように転動体レール１１は片側だけで済む。
【００２４】
ベース便座８や回転便座５の材質が硬質樹脂ならば、レールの替わりに転動体が転がる溝を掘って図３−ｄ１や図３−ｄ２の構造が可能となる。組立が容易になる利点がある。
【００２５】
球状転動体９には便座に座る使用者の体重がかかる、しかも回転力を加えられるから安定性を保つため、図１〜図３には円周上の４か所にそれぞれ３個の球状転動体９の構成から成る転動体保持器１０を用いた例を示した。
【００２６】
図１〜図３に示した球状転動体９は本発明の基本的な説明のために球状転動体を使った例であるが、円筒状転動体を使った内輪回転用クロスローラーリング軸受（ＴＨＫ社カタログＮｏ．３８２−３  製品型番  RB30035USP）を使用すると、重い荷重にも精度が高く、滑らかな回転が可能となる。これらは図１〜図３の球状転動体９と転動体レール１１，１２が一体化された形態に相当するから、置き換えが可能である。また、樹脂転動体を使うなら軽量、安価になる特徴がある。
【００２７】
図２に便器の断面を示したように、回転便座５の内径に沿って設置したガードプレート６はベース便座８の内径より小さく、ベース便座８の位置よりも深く、さらに便器上部３の位置よりも深いか又は同等まで伸びている構造をしている。これは構造的に複雑な球状転動体９などにまで汚物が飛散することを防止する役目を果たす。しかも、このガードプレート６には、ベース便座８の下面と便座上部３の空間にストッパーリング７がネジ止めされていて回転便座５がベース便座８から上下左右に外れない構造となっている。従って、回転便座５に座ったまま回転方向の力を加えても外れない、また男性の小便時にベース便座７を持ち上げられても外れないようになっている。
【００２８】
回転便座５の回転角度θは基準位置Ｓから右回り又は左回りに回転することができる。しかし、トイレ動作に必要な便座回転角度θは便器２と手洗い装置２０が配置されている位置関係で決定される。
すなわち手洗い装置２０は水洗便器２の右側か左側に配置され、回転便座５に座ったまま手を差し込み、両手の流水手洗いが行える洗浄位置Ｆの角度θと距離Ｌに配置されている必要がある。回転便座５はこのトイレ動作を可能とする角度まで回転することが求められる。また、基準位置Ｓと洗浄位置Ｆで回転便座５に座ったまま行うトイレ動作が安定化するように、回転ぶれ防止のストッパーを付けて置いても良い。
【００２９】
回転便座５に座ったまま手洗い装置２０の方向に足で床を蹴って、身体を方向回転して手洗い装置２０とほぼ正対する。そして手洗い装置フード３４の手差し込み口（座位）３１から手を差し込むと赤外線センサー２２が検知して洗浄シーケンスが始動する。
手洗い装置フード３４は透明樹脂で外から内部の手洗いの様子が見えて、確認できることが望ましい。
【００３０】
洗浄シーケンスの一例として、消毒石鹸液ノズル２３から消毒石鹸液が注がれる。両手指をこすり合わせて約２０秒間の石鹸液手洗いを行う、その後、設定された時間後に流水注出ノズル２４から洗浄流水が手に注がれて流水洗浄が行われる。次に、水切り乾燥温風吹き出し口２５から温風が噴出して濡れた手の大部分の水分を吹き飛ばす。温風乾燥と合わせて紫外線照射ランプ２７を点灯し、手指に紫外線を照射し殺菌処理をする。手洗い差し込み口３１から手を抜き出すと赤外線センサー２２が感知して洗浄シーケンスは終了する。
一連の手洗い処理が手洗い装置２０の中において非接触自動で完結される。
【００３１】
また、通常立ったまま用を済ませる男子小便に対しては、回転便座５に座ったまま手洗いする人と、立って手洗いする人が共通に使用できる非接触自動手洗い装置２０は、図４に示すように手の差込み口を座位３１と立位３２との２種類を用意し、開口部を広くしておくことが必要となる。
次に、手洗いのための消毒石鹸液注出ノズル２３、流水注水ノズル２４、水切り乾燥温風吹き出し口２５のノズル位置を立位に合わせてやや高い位置に配置することも必要となる。
【００３２】
高い位置から液体類が下方に向かって注出されるから流し台に落ちた液体の跳ね返りが広い差し込み口３１から飛び出てこないように、また、高い位置に設置した水切り乾燥温風吹き出し口２５では、濡れた手の水切り乾燥でしたたってくる水滴が流し台の排水管２１に確実に流れ込むようにやや深めの流し台を用意すると同時に、流し台の排水管２１の途中で分岐した排気管２６から強制排気をして手洗い装置２０の洗い場空間に空気の流れを形成し、その気流に水滴が乗って排水管２１に流れ込むようにする。
また、この分岐排気管２６にトイレ室全体の排気機能を兼ねた排気量を設計しても良い。
【００３３】
手洗い洗浄シーケンス処理のタイミング、組み合わせ、処理時間の長さ、処理強度などの条件設定はシーケンサー技術を使用して自由に設定される。
【００３４】
以上に説明したように、水洗トイレの回転便座５に座り、排便と排尿をした後にトイレットペーパーを使って局部を手指で拭き取った直後に、本発明の水洗トイレシステムでは手指の手洗い、乾燥、殺菌まで全く手でスイッチ操作や他の機器への接触を行う事無しに完了することができる。
また本発明によるトイレ動作では、使用者が立ち上がって衣服を整え、便器内の糞尿を下水管に排出するためにフラッシュノブなどに触れるのは手指を洗浄した後であるから衣服やフラッシュノブを清潔に保つことができる。
【００３５】
またフラッシュ洗浄ノブを操作する装置の改良型として、電光的に人体の有無を検知して電磁弁をON/OFFして便器内の糞尿を流す方式や、便座から使用者が立ち上がった時に電気的にスイッチONしてフラッシュ洗浄水が流れる装置も市販されている。また、便座と便座蓋が、人が便器に近づくと自動的に跳ね上がって開く便器も開発されてきた。
これらの非接触装置を本発明トイレシステムに積極的に取り入れることにより、さらに衛生的なトイレシステムとなり得ることは言うまでもない。
【実施例２】
【００３６】
本発明の腰かけ式水洗トイレシステムの第２の実施例は図1に示したトイレ室である。回転便座５を備えた便器から成る水洗トイレシステムと非接触自動手洗い装置２０が適正な角度θで適正な距離Lにあらかじめ造り付けてあり、その他トイレ設備として必要な設備があらかじめ設置されたトイレ室ユニットの形態であることを特徴としている。
【００３７】
回転便座５の回転角度θと距離Ｌを基準値から若干調整可能な構造にするなら、大人の人間が主に利用する施設用途のトイレ室ユニットと、子供が多数利用する施設用途のトイレ室ユニットに供することができる。より広く社会に普及しやすい形態となると思われる。
【００３８】
一体型トイレユニットには、トイレ室のドアー１６、壁と天井、床や換気扇、トイレットペーパー供給装置１８、温水シャワーノズル３５と制御装置１９、便器内の糞尿の排出を行う洗浄水を流す水洗フラッシュノブまたはフラッシュ洗浄電光スイッチシステム、非接触自動手洗い装置のシーケンス（消毒石鹸液供給、手洗い流水、水切り温風乾燥、紫外線殺菌のON/OFF）制御装置３０などがあらかじめ造り付けてあり、トイレユニットとして工場製造製品化していることを特徴としている。
【産業上の利用可能性】
【００３９】
従来型の水洗トイレシステムが感染性有害細菌の感染拡大や、集団食中毒の大規模な院内感染や施設内感染を引き起こす一因にもなっていることを考えると、本発明になる回転便座を有する腰かけ式水洗トイレと非接触自動手洗い装置からなるトイレシステムは極めて衛生的なトイレ動作が可能で、とくに幼児や高齢者が居る家庭、病院、学校、老人ホーム、食品会社、給食センター、大きな公共施設などにおいて導入されるなら、集団感染の防止に貢献できるものと思われる。また、トイレ文化の革命的変化をもたらす技術であり、一刻も早く一般社会に普及し、貢献することを願うものである。
【００４０】
本発明によるトイレ動作は、使用する全ての人が本発明によるトイレ動作を行う必要があり、教育や表示指示が必要となる。しかし本発明になるトイレ動作が衛生的であることが理解されたなら広く一般に急速に広がり、トイレを衛生的に使う社会標準にもなり得る要素を持っている。
【符号の説明】
【００４１】
１  トイレ室床
２  腰かけ式水洗便器
３  便器上部
４  便座開閉回転軸
５  回転便座
６  ガードプレート
７  ストッパーリング
８  ベース便座
９  球状転動体
１０  転動体保持器
１１  ベース便座転動体レール
１２  回転便座転動体レール
１３  便器蓋
１４  便器蓋開閉回転軸
１５  トイレ室壁
１６  トイレ室ドアー
１７  トイレ室ドアノブ
１８  トイレットペーパー供給装置
１９  温水シャワー制御装置
２０  非接触自動手洗い装置
２１  排水管
２２  手差し込み口赤外線センサー（座位）
２３  消毒石鹸液注出ノズル
２４  流水注出ノズル
２５  水切り乾燥温風吹き出し口
２６  排気管
２７  紫外線照射ランプ
２８  電磁弁ボックス
２９  リレーボックス
３０  手洗い装置自動シーケンサー
３１  手差し込み口（座位）
３２  手差し込み口（立位）
３３  手差し込み口赤外線センサー（立位）
３４  非接触自動手洗い装置フード
３５  温水シャワーノズル
３６  便座緩衝具
３７  汚物排出口
【要約】      （修正有）【課題】用便後に手指を洗浄する前に触った器具を介して感染性有害細菌を他者にも感染するため、食中毒の集団感染の一因になっている。用便後にトイレを介した感染性有害細菌の感染拡大を防止することができる腰かけ式水洗トイレシステムを提供する。【解決手段】腰かけ式水洗トイレの便器１が、回転機能を持つ回転便座５を備えており、回転角度θ、回転中心Ｄから距離Ｌの位置に、用便後に回転便座に座ったまま非接触で自動で手洗いを行う非接触自動手洗い装置２０を配置した。【選択図】図１【図３−ｂ２】
0006047746.tif 000002
【図３−ｄ２】
0006047746.tif 000003
【図１】
0006047746.tif 000004
【図２】
0006047746.tif 000005
【図３−ａ】
0006047746.tif 000006
【図３−ｂ１】
0006047746.tif 000007
【図３−ｃ１】
0006047746.tif 000008
【図３−ｃ２】
0006047746.tif 000009
【図３−ｄ１】
0006047746.tif 000010
【図４】
0006047746.tif 000011